(57)【要約】【課題】高い脱臭効果を有する空気清浄機を提供すること。【解決手段】送風機によって室内空気を吸い込むとともに、室内空気に含まれる臭気を脱臭フィルタ５３により除去する空気清浄機において、上記脱臭フィルタは、送風通路１２を有する枠体１０ａと、上記送風通路内に充填される活性炭１３とから構成される脱臭パネル６を有し、上記送風通路は、上記送風機の吸引方向に対して傾斜している。【選択図】    図２
2004230057.tif 000002
【特許請求の範囲】
【請求項１】
送風機によって室内空気を吸い込むとともに、室内空気に含まれる臭気を脱臭フィルタにより除去する空気清浄機において、
上記脱臭フィルタは、送風通路を有する枠体と、上記送風通路内に充填される活性炭とから構成される脱臭パネルを有し、
上記送風通路は、上記送風機の吸引方向に対して傾斜していることを特徴とする空気清浄機。
【請求項２】
上記送風通路は、上記枠体を構成する上下の隔壁の少なくとも一方を段構造とすることにより、傾斜していることを特徴とする請求項１記載の空気清浄機。
【請求項３】
上記送風通路は、上記送風機の吸引力により上記脱臭フィルタの上流側に形成される気流方向に沿って傾斜していることを特徴とする請求項１記載の空気清浄機。
【請求項４】
上記送風通路内には、上記活性炭が上側に隙間が形成されないように充填されていることを特徴とする請求項１記載の空気清浄機。
【請求項５】
上記送風通路内には、上記活性炭が５０パーセント以上の充填率で充填されていることを特徴とする請求項１記載の空気清浄機。
【請求項６】
上記脱臭フィルタは、複数の上記脱臭パネルを上記送風通路の軸線が上下にずれるように積層して構成されていることを特徴とする請求項１記載の空気清浄機。
【請求項７】
上記保持枠体は、樹脂により形成されていることを特徴とする請求１記載の空気清浄機。
【請求項８】
上記保持枠体の表面には、防菌、防カビ処理が施されていることを特徴とする請求項１記載の空気清浄機。
【発明の詳細な説明】
【０００１】
【発明の属する技術分野】
本発明は、空気中に含まれる臭気を除去する空気清浄機に関する。
【０００２】
【従来の技術】
一般に、室内空気中に含まれる塵埃や臭気等をフィルタにより除去する空気清浄機が知られている。この空気清浄機には、脱臭フィルタとして活性炭の脱臭作用を用いたものがある。
【０００３】
この種の空気清浄機においては、清浄機本体の内部に設けられた送風機を作動することで、清浄機本体の前面パネルに形成されたスリットから室内空気を吸い込む。そして、清浄機本体に吸い込まれた室内空気は、前面パネルと対向配置された集塵フィルタにより塵埃が捕捉除去された後、活性炭で形成されたハニカム形状の整流格子により整流、脱臭されて再び室内に吹き出される（例えば、特許文献１参照。）。
【０００４】
しかしながら、整流格子を活性炭で形成することで、この整流格子を脱臭フィルタとして機能させる場合、前面パネルのスリットから吸い込まれた空気のほとんどが、活性炭に接触することなく送風通路を通過してしまい、十分な脱臭効果が得られないという問題があった。
【０００５】
そこで、最近では整流格子の送風通路内に活性炭を充填し、送風通路を通過する空気が活性炭に接触し易くした構成が知られている（例えば、特許文献２参照。）。
【０００６】
【特許文献１】
特開２０００−２６２６０１号公報。
【０００７】
【特許文献２】
特開２００２−６５８３３号公報。
【０００８】
【発明が解決しようとする課題】
しかしながら、整流格子の送風通路内に活性炭を充填した空気清浄機では、充填された活性炭が送風通路内で下側に偏ってしまい、活性炭の上側に隙間が出来てしまう。そのため、送風機を作動しても、ほとんどの空気が抵抗の少ない隙間の部分を通過してしまい、活性炭による十分な脱臭効果が得られないという問題があった。
【０００９】
本発明は、上記事情を鑑みてなされたものであって、その目的とするところは、高い脱臭効果を有する空気清浄機を提供することにある。
【００１０】
【課題を解決するための手段】
上記課題を解決し目的を達成するために、本発明の空気清浄機は次のように構成されている。
【００１１】
（１）送風機によって室内空気を吸い込むとともに、室内空気に含まれる臭気を脱臭フィルタにより除去する空気清浄機において、上記脱臭フィルタは、送風通路を有する枠体と、上記送風通路内に充填される活性炭とから構成される脱臭パネルを有し、上記送風通路は、上記送風機の吸引方向に対して傾斜していることを特徴とする。
【００１２】
（２）（１）に記載された空気清浄機であって、上記送風通路は、上記枠体を構成する上下の隔壁の少なくとも一方を段構造とすることにより、傾斜していることを特徴とする。
【００１３】
（３）（１）に記載された空気清浄機であって、上記送風通路は、上記送風機の吸引力により上記脱臭フィルタの上流側に形成される気流方向に沿って傾斜していることを特徴とする。
【００１４】
（４）（１）に記載された空気清浄機であって、上記送風通路内には、上記活性炭が上側に隙間が形成されないように充填されていることを特徴とする。
【００１５】
（５）（１）に記載された空気清浄機であって、上記送風通路内には、上記活性炭が５０パーセント以上の充填率で充填されていることを特徴とする。
【００１６】
（６）（１）に記載された空気清浄機であって、上記脱臭フィルタは、複数の上記脱臭パネルを上記送風通路の軸線が上下にずれるように積層して構成されていることを特徴とする。
【００１７】
（７）（１）に記載された空気清浄機であって、上記保持枠体は、樹脂により形成されていることを特徴とする。
【００１８】
（８）（１）に記載された空気清浄機であって、上記保持枠体の表面には、防菌、防カビ処理が施されていることを特徴とする。
【００１９】
【発明の実施の形態】
以下、図面を参照しながら本発明の実施の形態について説明する。
【００２０】
図１は本発明の第１の実施の形態に係る空気清浄機の構成を示す断面図である。図１に示すように、空気清浄機は本体ケース１を有している。この本体ケース１は、前面に開口部１ａを備え、上面に多数の上面スリット１ｂを備えている。そして、開口部１ａには、多数の前面スリット２ａを備えた前面パネル２が着脱自在に取り付けられている。
【００２１】
本体ケース１の内部には、前面スリット２ａから上面スリット１ａに及ぶ通風路３が形成されている。この通風路３には送風機４が設けられており、この送風機４を駆動することで、送風機４の前面側（図１中左側）に矢印Ａで示す方向（吸引方向）へ吸引力が発生する。そして、この吸引力によって前面スリット２ａから本体ケース１内に室内空気が吸い込まれる。
【００２２】
前面パネル２と送風機４の間にはフィルタユニット５がほぼ垂直に設けられている。このフィルタユニット５は、プレフィルタ５１、集塵フィルタ５２、及び脱臭フィルタ５３から構成されており、前面スリット２ａから吸い込まれた室内空気を濾過する。
【００２３】
プレフィルタ５１は、フィルタユニット５の最前面に配設されており、室内空気中に含まれる比較的大きな埃を捕捉除去する。
【００２４】
集塵フィルタ５２は、フィルタユニット５の最後面に配設されており、プレフィルタ５１が除去することができない小さな塵埃を捕捉除去する。なお、集塵フィルタ５２としては、ＵＬＰＡフィルタやＨＥＰＡフィルタ等の高集塵フィルタが用いられる。
【００２５】
脱臭フィルタ５３は、プレフィルタ５１と集塵フィルタ５２の間に配設されており、活性炭の吸着作用によって室内空気中に含まれる臭気を除去する。
【００２６】
ここで図２〜図４を用いて脱臭フィルタ５３の構成について説明する。
【００２７】
図２と図３に示すように、脱臭フィルタ５３は脱臭パネル６によって構成されている。この脱臭パネル６は、多数の枠体１０ａを並設してなるハニカムコア１０を有する。このハニカムコア１０は樹脂で形成されており、その表面には防菌、防カビ処理が施されている。
【００２８】
各枠体１０ａは、送風機４側（図２中右側）に行くにつれて低くなるよう傾斜しており、それによって、各枠体１０ａ内に形成される送風通路１２も同様に送風機４側に行くにつれて低くなるよう傾斜している。
【００２９】
ハニカムコア１０の両面には不織布１１が貼り付けられており、送風通路１２の両端は、これら不織布１１によって閉塞されている。そして、送風通路１２内には直径２〜３［ｍｍ］程の粒からなる多数の活性炭１３が５０パーセント以上の重点率で充填されている。
【００３０】
上述した構成の空気清浄機においては、図１に示すように、前面スリット２ａから吸い込まれた室内空気は、フィルタユニット５によって塵埃及び臭気が除去された後、矢印Ｂ方向に沿って通風路３を上方に向かって流れ、上面スリット１ｂから室内に吹き出される。これによって、室内空気は循環濾過され、清浄に保たれる。
【００３１】
上述した構成の空気清浄機によれば、ハニカムコア１０の枠体１０ａを送風機４側に行くにつれて低くなるように傾斜させている。
【００３２】
そのため、図４（ａ）に示すように、送風通路１２内に充填された活性炭１３は、重力によって送風通路１２の送風機４側に集中するから、活性炭１３の上側に形成される隙間Ｇが、枠体１０ａが水平である場合（図４（ｂ）参照）よりも小さくなる。
【００３３】
その結果、前面スリット２ａから吸い込まれた室内空気を活性炭１３に効率よく接触させることができるため、高い脱臭効果を得ることができる。
【００３４】
また、ハニカムコア１０を樹脂で形成している。
【００３５】
そのため、ハニカムコア１０を加工する際に、枠体１０ａの肉厚を容易に変化させることができるから、図５（ａ）、（ｂ）に示すように肉厚を厚くすることで、活性炭１３の充填率を下げることなく、その使用量を減らすことが出来る。さらに言えば、同等の脱臭効果を少ない活性炭１３によって得ることができる。また、ハニカム形状以外の形状に成形することも容易となる。
【００３６】
さらに、ハニカムコア１０の表面に防菌、防カビ処理を施している。
【００３７】
そのため、ハニカムコア１０の表面に雑菌やカビが発生し難いから、脱臭フィルタ５３を常に清浄に保つことができる。
【００３８】
図６と図７は、本発明の第２の実施の形態に係る脱臭フィルタ５３ａの構成を示す縦断面図である。本実施の形態の脱臭フィルタ５３ａは、第１の実施の形態に係る各送風通路１２に活性炭１３を下記［式１］に示す充填率Ｊで充填したものである。
【００３９】
この［数１］は、送風通路１２に活性炭１３を充填したときに、活性炭１３の上側に隙間Ｇが形成されないための充填率Ｊを表す式である。なお、図７に示すように、［数１］中のθは送風通路１２の傾斜角度、Ｐは送風通路１２の高さ寸法、Ｄはハニカムコア１０の厚さ寸法である。
【００４０】
【数１】
2004230057.tif 000003
【００４１】
このような構成にすることで、活性炭１３で送風通路１２内を充満することなく、活性炭１３の上側の隙間Ｇを無くすことができるから、少ない活性炭１３で前面スリット２ａから吸い込まれた室内空気を効率よく脱臭することができる。
【００４２】
図８は、本発明の第３の実施の形態に係る脱臭フィルタ５３ｂの構成を示す縦断面図である。本実施の形態の脱臭フィルタ５３ｂは、第１の実施の形態において互いに平行に傾斜していた各送風通路１２を、送風機４の吸引力によって脱臭フィルタ５３ｂの前面側に形成される気流方向、すなわち矢印Ｃ方向に沿ってそれぞれ傾斜させたものである。
【００４３】
このような構成にすることで、脱臭フィルタ５３ｂの前面側に形成される気流方向と送風通路１２の通路方向を一致させることができるから、空気が脱臭フィルタ５３ｂを通過する際に生じる圧力損失を低下することができる。
【００４４】
なお、本実施の形態においても、上記第１の実施の形態と同様の脱臭効果が得られることは言うまでもない。
【００４５】
図９は、本発明の第４の実施の形態に係る脱臭フィルタ５３ｃの送風通路１２を拡大して示す縦断面図である。本実施の形態の脱臭フィルタ５３ｃは、第１の実施の形態で用いられた枠体１０ａを構成する上下の隔壁２０ａ、２０ｂをそれぞれ断面Ｚ状にすることにより、送風通路１２の通路方向を傾斜させたものである。
【００４６】
このような構成にすることで、第１の実施の形態と同様の原理により、活性炭１３の上側の隙間Ｇを小さくすることができるから、前面スリット２ａから吸い込まれた室内空気を効率よく脱臭することができる。
【００４７】
なお、本実施の形態では、枠体１０ａの隔壁２０ａ、２０ｂを断面Ｚ形状（２段形状）にすることで、送風通路１２の通路方向を傾斜させているが、隔壁２０ａ、２０ｂを多段形状にしてもよい。
【００４８】
図１０は、本発明の第５の実施の形態に係る脱臭フィルタ５３ｄの構成を示す縦断面図である。本実施の形態の脱臭フィルタ５３ｄは、第１の実施の形態で用いた脱臭パネル６を、送風通路１２の軸線Ｌが上下方向にずれるよう２枚重ねにしたものである。
【００４９】
このような構成にすることで、前側脱臭パネル６ａの送風通路１２内に隙間Ｇが存在していても、この隙間Ｇを後側脱臭パネル６ｂの送風通路１２内に収容された活性炭１３によって閉じることができるから、吸い込まれた室内空気を効率よく脱臭することができる。
【００５０】
【発明の効果】
本発明によれば、室内空気の脱臭効果を向上することができる。
【図面の簡単な説明】
【図１】本発明の第１の実施の形態に係る空気清浄機の構成を示す断面図。
【図２】第１の実施の形態に係る脱臭フィルタの構成を示す縦断面図。
【図３】第１の実施の形態に係るハニカムコアを前面側から見た構成図。
【図４】第１の実施の形態に係る脱臭フィルタの送風通路を示し、（ａ）は枠体が傾斜している場合の縦断面図、（ｂ）は枠体が水平である場合の縦断面図。
【図５】第１の実施の形態に係る脱臭フィルタを不織布と分離して示し、（ａ）はハニカムコアを肉薄にした場合の横断面図、（ｂ）はハニカムコアを肉厚にした場合の横断面図。
【図６】本発明の第２の実施の形態に係る脱臭フィルタの構成を示す縦断面図。
【図７】第２の実施の形態に係る脱臭フィルタの送風通路を拡大して示す縦断面図。
【図８】本発明の第３の実施の形態に係る脱臭フィルタの構成を示す縦断面図。
【図９】本発明の第４の実施の形態に係る脱臭フィルタの送風通路を拡大して示す縦断面図。
【図１０】本発明の第５の実施の形態に係る脱臭フィルタの構成を示す縦断面図。
【符号の説明】
４…送風機、６、６ａ、６ｂ…脱臭パネル、７…段部、１０…ハニカムコア、１０ａ…枠体、１２…送風通路、１３…活性炭、５３、５３ａ、５３ｂ、５３ｃ、５３ｄ…脱臭フィルタ、Ｇ…隙間、Ｊ…充填率、Ｌ…軸線。
【図１】
2004230057.tif 000004
【図２】
2004230057.tif 000005
【図３】
2004230057.tif 000006
【図４】
2004230057.tif 000007
【図５】
2004230057.tif 000008
【図６】
2004230057.tif 000009
【図７】
2004230057.tif 000010
【図８】
2004230057.tif 000011
【図９】
2004230057.tif 000012
【図１０】
2004230057.tif 000013